(57)【特許請求の範囲】
【請求項１】
コンベアベルト搬送装置のキャリアガイドにおいて、キャリアガイドの低摩耗性樹脂板の下面側に低磨耗性樹脂板の寿命とする残存厚さにタップ無しの寸法を設定し、その上部にタップを切ってなる磨耗検知ボルトを取り付けたことを特徴とする、コンベアベルトのキャリアガイド磨耗検知装置。
【請求項２】
磨耗検知ボルトが、低摩耗性樹脂から形成されることを特徴とする請求項１に記載のキャリアガイド磨耗検知装置。
【請求項３】
検知ボルトに紛失防止用の糸条を取り付け、検知ボルトの紛失防止を図ることを特徴とする請求項１又は２のキャリアガイド磨耗検知装置。
【請求項４】
着色された検知ボルトを使用することによって落下検知トの判断を容易にすることを特徴とする請求項１乃至３のいずれかに記載のキャリアガイド磨耗検知装置。
【請求項５】
低摩耗性樹脂が、超高分子量ポリエチレン及び耐磨耗性ポリアミド樹脂より選択された樹脂であることを特徴とする請求項１乃至４のいずれかに記載のキャリアガイド磨耗検知装置。
【請求項６】
キャリアガイドは、コンベアベルトの搬送断面のトラフ形状に沿って、中央水平域及び両側の外高傾斜に配置されていることを特徴とする請求項１乃至５のいずれかに記載のキャリアガイド磨耗検知装置
【請求項７】
キャリアガイドとして低摩耗性樹脂板の下面に中空緩衝体を併設してこれを支持するようにしたことを特徴とする請求項１乃至６のいずれかに記載のキャリアガイド磨耗検知装置。
【請求項８】
中空緩衝体は、数個並列に連接して搬送物の重量に対応してトラフ形状に配置することを特徴とする請求項１乃至７のいずれかに記載のキャリアガイド磨耗検知装置。
【請求項９】
キャリアガイドが、低摩耗性樹脂板と中空緩衝体をボルトで接合一体化されていることを特徴とする請求項１乃至８のいずれかに記載のキャリアガイド磨耗検知装置。
【発明の詳細な説明】
【０００１】
【産業上の利用分野】
この発明は、土砂や採石や石炭等の粉粒状物を搬送するための、コンベアベルトのキャリアガイド磨耗検知装置に関するものである。
【０００２】
【従来の技術】
従来、コンベアベルト運搬装置において、ホッパ−等から搬送物をベルトコンベア上に投入し、搬送するとき、ベルトコンベアのキャリアロ−ラの搬送方向の間、即ち、ベルトの乗り継ぎ部が搬送物の重みで下に撓むのを防止するためにベルトキャリアロ−ラの搬送方向の間に高分子量ポリエチレンのような耐磨耗性の優れた樹脂板とゴム弾性体を配置して、その上にベルトを滑らせてベルトの撓みを防止すること（実開昭60-137711 号公報）が知られており、さらに衝撃緩和性ゴム材の上面を超高分子量ポリエチレン板で被覆したコンベアベルトキャリヤガイドを配置した上に搬送方向のベルト上の両側側部にスカ−ト板を配置して搬送方向の両側部よりの搬送物の漏出を防止すること（実開昭62-183609 号公報）も公知である。
このようなコンベアベルトの下に配置する耐衝撃性のキャリアガイド及びベルト上の搬送方向の両側部に設けたスカ−ト板の使用により、搬送物の落下投入による衝撃が吸収されたり、搬送物の移送がスム−スに行うことが可能となったが、セメント粉や小麦粉のように重量のないものの搬送ではベルトの撓みも少なく、その分ベルトコンベアとスカ−ト板との間隙からの散逸も少ないけれども、土砂、鉱石や石炭のような重量のある搬送物の場合、単位面積当たりの重量が大きく、その分コンベアベルトの撓みも大きく、キャリアロ−ラ間のベルト乗り継ぎ部でのベルトの撓みを防いで搬送物の落下、散逸を防止することは大きな問題であった。
【０００３】
耐衝撃性及び耐磨耗性のキャリヤガイドとして、超高分子量ポリエチレンのような優れた低磨耗性樹脂を使用したときでも、重量積載物であればあるほどコンベアベルトとの激しい摩擦のために、キャリヤガイドの磨耗損傷が大きく、それだけ頻繁な適時の交換が求められている。このように磨耗によるベルトコンベア自体の損傷が生じる前に、キャリヤガイドの磨耗程度を確実に検知し、予め設定した限界磨耗程度によってキャリヤガイドを交換することが必要であるが、磨耗の程度を感知するためには、随時の検査と煩雑な測定が必要となり、磨耗の寿命判定も難しく、コンベアベルトの操業に煩わしい困難な仕事となっている。
特に、キャリヤガイドの低磨耗性樹脂板がコンベアベルトの下面側に直接に接触しているために、搬送状態のままは勿論、コンベア静止状態でも低磨耗性樹脂の磨耗状態の目視は困難であり、通常はコンベアベルトを持ち上げて確認するが、このためにはコンベアのスカ−ト板や案内シュ−トを外さねばならず、大きな作業量となっている。
この問題を解決する試みとして、中央擦動板に貫通穴を設け、その穴に棒材を着脱自在に挿入し、中央擦動板と共に磨耗させ、必要に応じてその棒材をを抜き出して磨耗度合いを測定する手段（実開平4-58510 号公報）も提案されたが、この手段では、コンベアベルトの運転中に測定確認するのが安全上難しく、停止時しか測定できないという大きな問題があった。
【０００４】
【発明が解決しようとする課題】
キャリヤガイドの磨耗損傷が避け難いので、磨耗による損傷が生じる前に、その磨耗の程度を検知し、適時にキャリヤガイドを交換することが大きな課題であるが、磨耗の程度を検知するためには、煩雑な検査や測定が必要であり、上記のように磨耗程度によるコンベアベルトの寿命判定が難しく、コンベアベルトの操業上、煩わしく困難な作業が避けられなかった。
上記検査や測定には、本来、低摩耗性樹脂の磨耗状態の直接的な目視判定が最も確かであるが、キャリヤガイドの低摩耗性樹脂がコンベアベルトに直接接触しているので、それが不可能であり、目視のためには、コンベアベルトやスカ−ト板の取外し作業のないキャリヤガイドの交換時期の的確な検知がが求められていた。
そこで、本発明者らは、安全にキャリヤガイドの磨耗の程度を検知し、キャリヤガイドが磨耗損傷する前に、キャリヤガイドを交換するために、簡易で安全で、コンベアベルトの操業中も検知可能な磨耗程度の確認手段を鋭意研究に努めた。
【０００５】
【課題を解決するための手段】
本発明者は、キャリアガイドの摩耗の程度を確実に検知し、キャリヤガイドが磨耗損傷する前に、キャリヤガイドを交換するための、簡易で、安全で、コンベアの操業中も行える本発明の検知手段を着想するに至った。
本発明は、キャリアガイドの低摩耗性樹脂板に磨耗検知ボルトを取り付け、そのボルトの落下の確認によりキャリヤガイドの磨耗程度を検知するものでり、基本的には以下の態様が含まれる。
（１）コンベアベルト搬送装置のキャリアガイドにおいて、キャリアガイドの低摩耗性樹脂板の下面側に低磨耗性樹脂板の寿命とする残存厚さにタップ無しの寸法を設定し、その上部にタップを切ってなる磨耗検知ボルトを取付けたことを特徴とする、コンベアベルトのキャリアガイド磨耗検知装置。
（２）磨耗検知ボルトとして、低摩耗性樹脂から形成されたボルトを用いることを特徴とするキャリアガイド磨耗検知装置。
（３）上記ボルトに紛失防止用の糸条のものを取付け、ボルトの紛失防止を図ることを特徴とするキャリアガイド磨耗検知装置。
（４）上記ボルトとして着色されたボルトを使用することによって落下ボルトの判断を容易にすることを特徴とするキャリアガイド磨耗検知装置。
（５）上記のキャリアガイドとボルトに使用する低摩耗性樹脂が超高分子量ポリエチレン及び耐磨耗性ポリアミド樹脂より選択された樹脂であることを特徴とするキャリアガイド磨耗検知装置。
（６）キャリアガイドは、コンベアベルトの搬送断面のトラフ形状に対応して、中央水平域及び両側の外高傾斜に配置されていることを特徴とするキャリアガイド磨耗検知装置。
（７）キャリアガイドが、中央水平域及び両側の外高傾斜に対応して３分割に配置されていることを特徴とするキャリアガイド磨耗検知装置。
（８）キャリアガイドとして、低摩耗性樹脂板を使用する上にその下面に中空緩衝体を併設してキャリアガイドを支持するようにしたことを特徴とするキャリアガイド磨耗検知装置。
（９）中空緩衝体は、数個並列に連接して搬送物の重量に対応してトラフ形状に配置することを特徴とするキャリアガイド磨耗検知装置。
（10) キャリアガイドが、低摩耗性樹脂板と中空緩衝体をボルトで接合一体化されていることを特徴とするキャリアガイド磨耗検知装置。
【０００６】
本発明のキャリヤガイドの基本構成は、ベルトコンベアの幅に対応する低磨耗性樹脂の板状体で、素材としては超高分子量ポリエチレンや耐磨耗性ポリアミド等の低摩耗性樹脂が適当であるが、特に分子量が400 〜500 万程度の超高分子量ポリエチレンが好ましい。キャリヤガイドは、ベルトコンベアの幅に対応する幅広のままでも使用上には何らの問題もないが、一部破損や磨耗の場合でも幅広のもの全体の交換が必要で不経済であるから、取替えに便利なように適宜の大きさに分割するのが経済的で好ましい。
また、キャリアガイドの衝撃緩和性や緩衝性をより高めるために、キャリアガイドの下面側に天然ゴムや合成ゴム等の弾性材料から形成された中空の緩衝体を併設して、上部の低摩耗性樹脂板を支えるようにすることが好適である。
この中空緩衝体は、衝撃緩和性や緩衝作用を高めるものであれば、形状、構造には何らの制限はなく、内部が空洞の直方体の中空緩衝体を数個並列に連接して搬送物の搬送に対応したトラフ形状で使用するのが好ましい。
【０００７】
また、ボルトに散逸防止のための糸条を取り付けたり、落下したボルトの発見を容易にするためにボルトを着色することが適当であるが、特に複数個のボルトを異色に着色したり、ボルトに糸条を取り付けることにより、どのボルトが落下したか、簡単に判別できる。このとき落下したボルトの受け皿を設置しておくと、ボルトが散乱しなくて便利である。
低磨耗性樹脂板と中空緩衝体の接合は、キャリヤガイド、中空緩衝体のそれぞれの交換を考えると、ボルトによる締結が好ましいが、接着剤による接着接合等でもよい。
【０００８】
本発明のコンベアベルトのキャリヤガイド磨耗検知装置における磨耗検知手段は、低磨耗性樹脂板の裏面に、低摩耗性樹脂の寿命とする残存厚さにタップ無しの寸法を設定し、その上部にタップを切り、低摩耗性樹脂板と同材質のボルトをタップ穴にネジ込み式に取り付けたものであるから、低磨耗性樹脂が磨耗して寿命とする残存厚さになる。
低磨耗性樹脂板が破壊寸前の厚さになる時点の厚さ寸法は、予め実験により設定しておく。検知ボルトの材質は、低磨耗性樹脂板と同材料であれば問題なく、検知ボルトは低磨耗樹脂板と均等に磨耗するようにする。検知ボルトは、使用するキャリヤガイドに応じて適当な数を設定すればよく、例えば１個〜複数個取付ければ十分である。
上記検知ボルトを使用することによって、低磨耗性樹脂の破壊寸前の厚さになると、タップ切り部が消失するので、検知ボルトを支持していたネジ部が消失してボルトが落下し、作業者による検知ボルトの落下の目視によって、キャリヤガイドの低磨耗性樹脂板の取替え時期を正確に、確実に、簡便に検知することができることになる。
【０００９】
【実施の態様】
図面に示す実施例に基づいて、本発明のコンベアベルトのキャリヤガイド磨耗検知装置について具体的に説明するが、本発明はこれらに限定されるものではない。
図１は、従来のコンベアベルト搬送装置における案内シュ−ト域の土砂、鉱石、石炭等の塊状搬送物の搬送断面を示す。図１では、搬送物２は搬送方向の横方向よりの搬送物の落下を防ぐための落下防止用スカ−ト板３を備えた駆動ロ−ル６によって移動するベルトコンベア４で搬送されるが、キャリアロ−ラ５の乗継ぎ間で搬送物の重みと衝撃によりベルトが撓み、ベルトコンベア上でスカ−ト板の下部との間に隙間を生じ、その隙間から搬送物がこぼれ落ちる状態を示している。
また、図２は、従来のコンベアベルト装置における搬送方向に直角の角度の断面（即ち、搬送方向断面）を示したもので、ベルトのキャリアロ−ラによって搬送物を搬送するコンベアベルト４を支持するためにトラフ形状に沿って、ベルト下面側に低磨耗性樹脂板７と中空緩衝体８からなるキャリヤガイド６を設け、さらにベルト上の両側部にスカ−ト板３を設けた構成を表している。
第３図は、本発明に係わるキャリヤガイド磨耗検知の実施態様を示すもので、低磨耗性樹脂板７の下面側に、低摩耗性樹脂の寿命とする残存厚さにタップ無しの寸法10を設定し、その上部にタップを切り11、低磨耗性樹脂板７と同材質のボルト９をタップ穴にネジ込み式に取り付けた断面図を示す。低磨耗性樹脂板は、破壊寸前になる時点の厚さ寸法をタップ無し部10のタップ無し長さ12とし、その内部にタップ切り部11を形成している。
図４は、図３の磨耗検知ボルト９を設けた低摩耗性樹脂板７を中空緩衝体８で支持したときの状態を示す断面図で、低摩耗性樹脂板７と中空緩衝体８は、接合ボルト16で一体化されている．
図５は、総厚さ14を有する低磨耗性樹脂板が積載重量に応じてトラフ形状の中央域が過度に磨耗13して、厚さが寿命とする残存厚さ12より薄くなって、検知ボルトを保持していたネジ部（タップ切り部11）が消失し、検知ボルトが自然落下している状態を示している。
図６は、ボルト９に散逸防止のための糸条15を取り付けた例を示し、糸条の他端は低磨耗性樹脂等に結びつけられた状態を、図７は、検知ちボルト９が落下した状態を示している。
【００１０】
【発明の効果】
従来、低磨耗性樹脂がコンベアベルトに直接接触しているために、低磨耗性樹脂の磨耗状態の目視は困難であり、コンベアベルトを持ち上げて確認すべくコンベアベルトのスカ−ト板や案内シュ−トを取外さねばならず、大変な作業量となっていたが、本発明によりこの煩雑な作業が解消された。
本発明の、磨耗状態の検知確認作業は、ボルトの落下の目視による検知で十分であるから、簡易で、確実であり、キャリヤガイドの低磨耗性樹脂板の取替え時期が、正確に、且つ、迅速に検知されることとなり、従来の煩雑な検査工程を必要としない。
また、磨耗程度の確認作業は、コンベアベルトの運転を止めることなく、コンベアの操業中に行え、しかも安全に実施できる。
【図面の簡単な説明】
図１：従来のコンベアベルト運搬装置の案内シュ−ト域の搬送側面図
図２：キャリヤガイドとスカ−ト板を用いた装置の搬送方向断面図
図３：本発明の磨耗検知ボルト取付け断面図
図４：本発明の低摩耗性樹脂と中空緩衝体からなるキャリヤガイドの接合と磨耗検知ボルト取付け断面図
図５：検知ボルトを保持していたネジ部が消失し、ボルトの落下断面図
図６：ボルトに散逸防止のための糸条が取付けられたときの断面図
図７：ボルトが落下して糸条で保持された状態の断面図
【符号の説明】
１：案内シュ−ト域の搬送状態
２：搬送物
３：スカ−ト板
４：ベルトコンベア
５：キヤリアロ−ラ
６：キャリアロ−ラ
７：低磨耗性樹脂板
８：中空緩衝体
９：本発明の磨耗検知ボルト
10：タップ無し部
11：タップ切り部
12：タップ無し長さ
13：磨耗域
14：低磨耗性樹脂板の総厚さ
15：糸条
16：キャリヤガイド接合ボルト
【図１】
0003828990.tif 000002
【図２】
0003828990.tif 000003
【図３】
0003828990.tif 000004
【図４】
0003828990.tif 000005
【図５】
0003828990.tif 000006
【図６】
0003828990.tif 000007
【図７】
0003828990.tif 000008